(57)【要約】【課題】ブレードの曲げ剛性及び、捩り剛性と、曲げ振動及び、捩り振動を効率良く設定し、軽量で、反発特性及び、コントロール特性に優れ、しかも、ボール打撃時に良好な打球感が得られるオフェンシブ或いは、ディフェンシブに適した卓球用ラケットを提供する。【解決手段】中芯木質板層７ａの表裏両面に添芯木質板層７ｃ及び、外部木質板層７ｂを接着剤を用いて順次積層接着して５枚合板のブレードを形成するにあたり、前記添芯木質板層７ｃと、前記外部木質板層７ｂとの層間に異方性を有する４軸織物９を配設する。【選択図】図５
2005218521.tif 000002
【特許請求の範囲】
【請求項１】
平板状のブレードと、該ブレードのグリップ側基部に重合接着されるグリップ部材と、前記ブレードの打球面部の片面或いは、表裏両面に貼着されるラバーとから構成される卓球用ラケットにおいて、前記ブレードは、木質板層の層間に繊維強化樹脂層を介在積層して成る複合ブレードから成り、前記繊維強化樹脂層の少なくとも一部が、異方性を有する４軸織物で構成されていることを特徴とする卓球用ラケット。
【請求項２】
前記４軸織物は、相互に直角に織られた経糸及び、緯糸と、これら経糸及び、緯糸に斜交して織られる二本の斜交糸とを有し、前記斜交糸が、前記経糸及び、緯糸とは種類の異なる低弾性率糸で構成されていることを特徴とする請求項１記載の卓球用ラケット。
【請求項３】
ブレードのグリップ側基端部Ｐからブレードの長手方向軸において打球面部側にブレード全長Ｌの０．０８Ｌ〜０．４０Ｌの領域に前記４軸織物が配設され、且つ該４軸織物の経糸又は、緯糸が前記ブレードの長手方向軸に対して平行又は、垂直な方向に向けられていることを特徴とする請求項１又は、２記載の卓球用ラケット。
【請求項４】
ブレードのグリップ側基端部Ｐからブレードの長手方向軸において打球面部側にブレード全長Ｌの０．４２Ｌ〜１．００Ｌの領域に前記４軸織物が配設され、且つ該４軸織物の斜交糸が前記ブレードの長手方向軸に対して平行又は、垂直な方向に向けられていることを特徴とする請求項１、２又は、３記載の卓球用ラケット。
【請求項５】
ブレードのグリップ側基端部Ｐからブレードの長手方向軸において打球面部側にブレード全長Ｌの０．０８Ｌ〜０．４０Ｌの領域に前記４軸織物が配設され、且つ該４軸織物の斜交糸が前記ブレードの長手方向軸に対して平行又は、垂直な方向に向けられていることを特徴とする請求項１又は、２記載の卓球用ラケット。
【請求項６】
ブレードのグリップ側基端部Ｐからブレードの長手方向軸において打球面部側にブレード全長Ｌの０．４２Ｌ〜１．００Ｌの領域に前記４軸織物が配設され、且つ該４軸織物の経糸又は、緯糸が前記ブレードの長手方向軸に対して平行又は、垂直な方向に向けられていることを特徴とする請求項１、２又は、５記載の卓球用ラケット。
【発明の詳細な説明】
【技術分野】
【０００１】
本発明は、卓球用ラケットに関するものである。
【背景技術】
【０００２】
図６に示すように、卓球用ラケット２１は、平板状のブレード２２と、該ブレード２２のグリップ側基部２３の表裏両面に重合接着されるグリップ部材２４と、前記ブレード２２の打球面部２５の片面或いは、表裏両面に貼着されるラバー２６とから成るものが一般的である。
【０００３】
従来、前記した卓球用ラケット２１を構成するブレード２２としては、桧や桂などの単板或いは、合板から形成される木製ブレードが主流であったが、近年では、前記木製ブレードに繊維強化樹脂を組み合わせた、所謂複合ブレードが多く普及してきている。
【０００４】
この種の複合ブレードは、例えば、特許文献１や特許文献２に提案されるように、木製合板の板と板の間に、炭素繊維や芳香族ポリアミド繊維等を補強繊維とする繊維強化樹脂層を介在させて複合板とするものであり、従来の木のみで形成される木製ブレードに比して高剛性で高い反発特性を発現させることができるというメリットを有していた。
【０００５】
ところで、通常、このような複合ブレードを構成する繊維強化樹脂層２７としては、図７に示すように、ブレード２２の捩り強度及び、捩り剛性を保持するために、補強繊維が斜向して設けられたバイアス補強層２８ａ、２８ｂと、ブレード２２の長手方向軸Ｓと平行な縦方向曲げ強度及び、縦方向曲げ剛性を保持するために補強繊維が前記長手方向軸Ｓに対して平行な方向に引き揃えられた縦方向補強層２９と、前記ブレード２２の長手方向軸Ｓに対して直交する横方向曲げ強度及び、横方向曲げ剛性を保持するために補強繊維が前記長手方向軸Ｓに対して直交する方向に引き揃えられた横方向補強層３０とを備えることが望まれている。
【０００６】
前記繊維強化樹脂層２７は、通常、一方向プリプレグ（ＵＤプリプレグ）を主体として成形される場合が多いが、補強繊維を多方向へ配向させるために複数枚のプリプレグが必要で、プリプレグの積層数（プライ数）が多くなるため繊維強化樹脂層２７の肉厚が嵩み、その分質量が増し、軽量化を図ることが難しいという問題があった。
【０００７】
そのため従来では、このような欠点を補うことを目的として、所謂クロス等の繊維織物が主体的或いは、副次的に多く使用されている。前記繊維織物としては、一般に２軸織物や３軸織物などが公知である。
【０００８】
図８に示すように、前記２軸織物３１は、経糸３２と緯糸３３とが相互に直角に織り込まれているため、前記経糸３２をブレード２２の長手方向軸Ｓに平行となるように配置して用いると、前記した一方向プリプレグを用いる場合で言う縦方向補強層２９と横方向補強層３０とが同時に形成でき、その分、補強繊維の積層数を減らすことができる。又、図９に示すように、前記３軸織物３４は、経糸３２と、二本の斜交糸３５ａ、３５ｂとが相互に織り込まれているため、前記のような縦方向補強層２９とバイアス補強層２８ａ、２８ｂとが同時に形成でき、その分、積層数を減らすことができるという利点があった。
【０００９】
尚、従来より、これらの織物（２軸織物３１及び、３軸織物３４）としては、各々の糸を構成する補強繊維の種類及び、繊度が同一に構成された等方性を有するものが多く使用されている。
【００１０】
【特許文献１】特開昭５２−１５７３４号公報
【特許文献２】特開昭５２−５８６２９号公報
【発明の開示】
【発明が解決しようとする課題】
【００１１】
しかし、前記従来の２軸織物を用いた複合ブレードでは、ブレードの捩り強度及び、捩り剛性が保持できないと言う問題があり、前記２軸織物に別途一方向プリプレグなどでバイアス補強層を加える必要があった。又、前記３軸織物を用いた場合では、ブレードの横方向曲げ強度及び、横方向曲げ剛性が保持できないため、前記３軸織物に別途横方向補強層を加える必要があり、その分、繊維強化樹脂層の肉厚や質量が嵩むという不具合がある。
【００１２】
更に、従来より使用される前記織物の多くは等方性を有するものであり、例えば、等方性を有した３軸織物を用いて複合ブレードを形成すると、縦方向曲げ剛性と捩り剛性の両方が同じように高められてしまい、ブレードの剛さが非常に剛くなる傾向にある。このような剛いブレードは、ボール打撃時に良好なコントロール性能や打球感が得られ難いという欠点がある。
【００１３】
一般に、卓球用ラケットに要求される反発性能やコントロール性能或いは、打球感といった各々の性能は、卓球用ラケットを構成するブレードの各部の剛性、即ち、打球面部やグリップ側基部といった各部位毎の曲げや捩りの剛性設計及び、固有振動数設計が重要な因子となるものであり、卓球用ラケットのブレード全体として、常に曲げや捩りの剛性及び、固有振動数は同じように要求されるものではない。
【００１４】
本発明者らが種々の解析を行った結果、前記ブレードの各部位毎に求められる曲げや捩りの剛性、或いは、固有振動数の大きさは、オフェンシブやディフェンシブといったプレースタイルの相違により種々異なるものであり、例えば、攻撃型でスピードのある鋭い打球を多用し、より優れた反発性能と打球感を重要視するオフェンシブ向きのブレードでは、図１０に示すように、前記ブレード２２のグリップ側基端部Ｐからブレード２２の長手方向軸Ｓにおいて打球面部２５側にブレード全長Ｌの０．０８Ｌ〜０．４０Ｌの領域Ａ（とりわけ０．１５Ｌ〜０．３８Ｌの領域）の曲げ剛性が卓球用ラケットの反発性能に影響を与え、捩り剛性及び、捩り振動減衰特性がボール打撃時の打球感に大きな影響を与えることが判明した。又、前記ブレード２２における０．４２Ｌ〜１．００Ｌの領域Ｂ（とりわけ０．６２Ｌ〜０．８８Ｌの領域）の捩り剛性が卓球用ラケットの反発性能に影響を与え、曲げ剛性及び、曲げ振動減衰特性が打球感に大きな影響を与えることが判明した。即ち、前記領域Ａでは、曲げ剛性を高く設計する一方で、捩り剛性を低く抑えながら捩り振動減衰特性を高め、又、前記領域Ｂでは、捩り剛性を高く設計する一方で、曲げ剛性を低く抑えながら曲げ振動減衰特性を高く設計することで、高反発で打球感に優れた卓球用ラケットとすることができるものである。
【００１５】
一方、守備型でカットプレーを多用し、より優れたコントロール性能と打球感を重要視するディフェンシブ向きのブレード２２では、前記領域Ａにおいては、捩り剛性が卓球用ラケットのコントロール性能に影響を与え、曲げ剛性及び、曲げ振動減衰特性がボール打撃時の打球感に大きな影響を与えることが判明した。又、前記領域Ｂにおいては、曲げ剛性が卓球用ラケットのコントロール性能に影響を与え、捩り剛性及び、捩り振動減衰特性がボール打撃時の打球感に大きな影響を与えることが判明した。即ち、前記領域Ａでは、捩り剛性を高く設計する一方で、曲げ剛性を低く抑えながら曲げ振動減衰特性を高め、又、前記領域Ｂでは、曲げ剛性を高く設計する一方で、捩り剛性を低く抑えながら捩り振動減衰特性を高く設計することで、コントロール性と打球感に優れた卓球用ラケットとすることができるものである。
【００１６】
しかしながら、前記従来の等方性を有した織物では、このような剛性設計及び、固有振動数設計に対応させることができず、ブレード全体として曲げ剛性と捩り剛性が共に剛くなり、前述したようなオフェンシブに適した性能或いは、ディフェンシブに適した性能を充分に発現させることが困難であった。
【００１７】
そこで本発明は、このような従来の問題点に鑑み、ブレードの曲げ剛性及び、捩り剛性と、曲げ振動及び、捩り振動を効率良く設定し、軽量で、反発特性及び、コントロール特性に優れ、しかも、ボール打撃時に良好な打球感が得られるオフェンシブ或いは、ディフェンシブに適した卓球用ラケットを提供することを目的とする。
【課題を解決するための手段】
【００１８】
上記目的を達成するために、本発明の卓球用ラケットは以下のような構成とした。
即ち、本発明の請求項１に係る卓球用ラケットは、平板状のブレードと、該ブレードのグリップ側基部に重合接着されるグリップ部材と、前記ブレードの打球面部の片面或いは、表裏両面に貼着されるラバーとから構成される卓球用ラケットにおいて、前記ブレードは、木質板層の層間に繊維強化樹脂層を介在積層して成る複合ブレードから成り、前記繊維強化樹脂層の少なくとも一部が、異方性を有する４軸織物で構成されていることを特徴とするものである。
【００１９】
請求項２は、前記請求項１に係る卓球用ラケットであって、前記４軸織物は、相互に直角に織られた経糸及び、緯糸と、これら経糸及び、緯糸に斜交して織られる二本の斜交糸とを有し、前記斜交糸が、前記経糸及び、緯糸とは種類の異なる低弾性率糸で構成されていることを特徴とするものである。
【００２０】
請求項３は、前記請求項１又は、２に係る卓球用ラケットであって、ブレードのグリップ側基端部Ｐからブレードの長手方向軸において打球面部側にブレード全長Ｌの０．０８Ｌ〜０．４０Ｌの領域に前記４軸織物が配設され、且つ該４軸織物の経糸又は、緯糸が前記ブレードの長手方向軸に対して平行又は、垂直な方向に向けられていることを特徴とするものである。
【００２１】
請求項４は、前記請求項１、２又は、３に係る卓球用ラケットであって、ブレードのグリップ側基端部Ｐからブレードの長手方向軸において打球面部側にブレード全長Ｌの０．４２Ｌ〜１．００Ｌの領域に前記４軸織物が配設され、且つ該４軸織物の斜交糸が前記ブレードの長手方向軸に対して平行又は、垂直な方向に向けられていることを特徴とするものである。
【００２２】
請求項５は、前記請求項１又は、２に係る卓球用ラケットであって、ブレードのグリップ側基端部Ｐからブレードの長手方向軸において打球面部側にブレード全長Ｌの０．０８Ｌ〜０．４０Ｌの領域に前記４軸織物が配設され、且つ該４軸織物の斜交糸が前記ブレードの長手方向軸に対して平行又は、垂直な方向に向けられていることを特徴とするものである。
【００２３】
請求項６は、前記請求項１、２又は、５に係る卓球用ラケットであって、ブレードのグリップ側基端部Ｐからブレードの長手方向軸において打球面部側にブレード全長Ｌの０．４２Ｌ〜１．００Ｌの領域に前記４軸織物が配設され、且つ該４軸織物の経糸又は、緯糸が前記ブレードの長手方向軸に対して平行又は、垂直な方向に向けられていることを特徴とするものである。
【発明の効果】
【００２４】
以上のように、本発明の卓球用ラケットでは、前記４軸織物を用いることにより所要の強度と剛性が発現できるため、繊維強化樹脂層を形成する補強繊維のプライ数を大幅に減らすことができる。この結果、繊維強化樹脂層の肉厚を薄く設計することが可能となり、ブレード自体ひいては卓球用ラケットの質量を大幅に低減することができる。
【００２５】
又、前記４軸織物を、前記ブレードのグリップ側基端部Ｐからブレードの長手方向軸において打球面部側にブレード全長Ｌの０．０８Ｌ〜０．４０Ｌの領域Ａ（とりわけ０．１５Ｌ〜０．３８Ｌの領域）に、該４軸織物の経糸又は、緯糸がブレードの長手方向軸に対して平行又は、垂直な方向に向くように配設せしめることにより、前記４軸織物の低弾性糸で構成される斜交糸によって、前記領域Ａの捩り剛性が低く抑えられると同時に、捩り振動減衰特性が高められ、前記経糸又は、緯糸によって縦方向及び横方向の曲げ剛性が効率的に高められる。これにより、前記領域Ａでは、縦方向と横方向の曲げ剛性及び、曲げ固有振動数が高く設定でき、ボール打撃時に良好な反発性能が得られると同時に、捩り剛性が低く抑えられ、且つ捩り振動減衰特性が高く設定できるため、打撃時にソフトなフィーリングが得られ、打球感に優れたオフェンシブ向けの卓球用ラケットとできる。
【００２６】
更に、前記４軸織物を、前記ブレードのグリップ側基端部Ｐからブレードの長手方向軸において打球面部側にブレード全長Ｌの０．４２Ｌ〜１．００Ｌの領域Ｂ（とりわけ０．６２Ｌ〜０．８８Ｌの領域）に、前記４軸織物の斜交糸がブレードの長手方向軸に対して平行又は、垂直な方向に向くように配設せしめることにより、該４軸織物の低弾性糸で構成される斜交糸によって、前記領域Ｂの縦方向と横方向の曲げ剛性が低く抑えられると同時に、曲げ振動減衰特性が高められ、前記経糸又は、緯糸によって捩り剛性が効率的に高められる。これにより、前記領域Ｂでは、捩り剛性及び、捩り固有振動数が高く設定でき、ボール打撃時に良好な反発性能が得られると同時に、縦方向と横方向の曲げ剛性が低く抑えられ、且つ曲げ振動減衰特性が高く設定できるため、打撃時にソフトなフィーリングが得られ、打球感に優れたオフェンシブ向けの卓球用ラケットとできる。
【００２７】
前記４軸織物を、前記ブレードの領域Ａに、該４軸織物の斜交糸がブレードの長手方向軸に対して平行又は、垂直な方向に向くように配設せしめることにより、前記４軸織物の低弾性糸で構成される斜交糸によって前記領域Ａの縦方向と横方向の曲げ剛性が低く抑えられると同時に、曲げ振動減衰特性が高められ、前記経糸及び、緯糸によって捩り剛性が効率的に高められる。これにより、前記領域Ａでは、捩り剛性及び、捩り固有振動数が高く設定でき、ボール打撃時に良好なコントロール性能が得られると同時に、縦方向と横方向の曲げ剛性が低く抑えられ、且つ曲げ振動減衰特性が高く設定できるため、打撃時にソフトなフィーリングが得られ、打球感に優れたディフェンシブ向けの卓球用ラケットとできる。
【００２８】
前記４軸織物を、前記ブレードの領域Ｂに、該４軸織物の経糸又は、緯糸がブレードの長手方向軸に対して平行又は、垂直な方向に向くように配設せしめることにより、前記４軸織物の低弾性糸で構成される前記斜交糸によって前記領域Ｂの捩り剛性が低く抑えられると同時に、捩り振動減衰特性が高められ、前記経糸及び、緯糸によって縦方向と横方向の曲げ剛性が効率的に高められる。これにより、前記領域Ｂでは、縦方向と横方向の曲げ剛性及び、曲げ固有振動数が高く設定でき、ボール打撃時に良好なコントロール性能が得られると同時に、捩り剛性が低く抑えられ、且つ捩り振動減衰特性が高く設定できるため、打撃時にソフトなフィーリングが得られ、打球感に優れたディフェンシブ向けの卓球用ラケットとできる。
【００２９】
又、本発明において使用される前記４軸織物では、経糸及び、緯糸に、該経糸及び、緯糸に対して概ね４５°方向に低弾性糸である斜交糸を織り込んだものであることから、卓球用ラケットを構成する前記ブレードの縦方向及び、横方向の曲げ剛性と捩り剛性に異方性を持たせることができる。従って、前記４軸織物を構成する糸の配向方向を任意に設定することで、曲げ剛性＞捩り剛性、或いは、曲げ剛性＜捩り剛性といった剛性設計の他、曲げ固有振動数＞捩り固有振動数、或いは、曲げ固有振動数＜捩り固有振動数といった固有振動数設計、更に曲げ振動減衰特性＞捩り振動減衰特性、或いは、曲げ振動減衰特性＜捩り振動減衰特性といった振動減衰設計が一つの４軸織物材料を用いることで容易に行えることから汎用性があり、成形部品数を増やすことなく、製造の手間やコストを減らすことができるものである。
【発明を実施するための最良の形態】
【００３０】
以下に、図面と共に詳記する好適な実施例により本発明を説明する。
図１は、本実施例の卓球用ラケットの正面及び、側面の外観説明図、図２は、本実施例の卓球用ラケットの構成説明図、図３は、図２のａ部領域におけるブレードの構成説明図、図４は、本実施例で用いる異方性を有する４軸織物の拡大説明図を示す。
【００３１】
即ち、図１乃至図２に示すように、本実施例の卓球用ラケット１は、平板状であって概ね楕円形状を成す打球面部２に帯状を成すグリップ側基部３を一体に突出形成してなる略「しゃもじ」形状を有したブレード４と、該ブレード４のグリップ側基部３の表裏両面に、該グリップ側基部３を挟持するように接着固定される一対のグリップ部材５と、前記ブレード４の打球面部２の片面或いは、表裏両面に接着剤や両面テープを介して貼着されるラバー６とから構成されている。
【００３２】
本発明は、上記ブレード４の構成に特徴を有し、図３に示すように、前記ブレード４は、薄板材から成る複数の木質板層７の層間に繊維強化樹脂層８を介在させて積層一体化してなる複合ブレードであって、中央部に位置する中芯木質板層７ａと、表面に位置する外部木質板層７ｂとの間に繊維強化樹脂層８を配設せしめた積層構造を有している。本実施例では、前記ブレード４の少なくとも一部の領域において前記繊維強化樹脂層８を形成する補強繊維が以下に説明する４軸織物９で構成されている。
【００３３】
前記４軸織物９は、図４に示すように、相互に直交する経糸１０及び、緯糸１１が相互に織られ、さらにこれら経糸１０及び、緯糸１１に対して斜交する二本の斜交糸１２ａ、１２ｂが交番に前記経糸１０及び、緯糸１１に織られた構造を成し、且つ前記斜交糸１２ａ、１２ｂが前記経糸１０及び、緯糸１１とは繊度或いは、種類の異なる低弾性率糸で構成された構成となっている。
【００３４】
このような本実施例の卓球用ラケット１によれば、前記４軸織物９を構成する糸の一つをブレード４の長手方向軸Ｓに対して平行となるように配置して用いることにより、前記長手方向軸Ｓに対して平行な補強繊維と、斜交する補強繊維と、前記長手方向軸Ｓに対して垂直な補強繊維とを一度に設けることができる。これにより、所要の強度と剛性が発現できるため、前記繊維強化樹脂層８を形成する補強繊維のプライ数を大幅に減らすことができる。この結果、繊維強化樹脂層８の肉厚を薄く設計することが可能となり、ブレード４ひいては卓球用ラケット１の質量を大幅に低減することができる。
【００３５】
本実施例において前記４軸織物９は、前記ブレード４の全体に用いることもできるが、その一部だけに前記４軸織物９を用いることもできる。その際、図１に示すように、前記ブレード４のうちの少なくとも、該ブレード４のグリップ側基端部Ｐからブレード４の長手方向軸Ｓにおいて打球面部２側にブレード全長Ｌの０．０８Ｌに相当する位置から０．４０Ｌに相当する位置までの領域Ａ（とりわけ０．１５Ｌ〜０．３８Ｌの領域）及び／又は、０．４２Ｌに相当する位置から１．００Ｌに相当する位置までの領域Ｂ（とりわけ０．６２Ｌ〜０．８８Ｌの領域）に前記４軸織物９が用いられることが好ましい。
【００３６】
前記ブレード４の領域Ａに前記４軸織物９を用いる場合、例えば、オフェンシブに適した性能を発現させるためには、前記４軸織物９の経糸１０又は、緯糸１１がブレード４の長手方向軸Ｓに対して平行又は、垂直な方向に向くように配設し、該４軸織物９の低弾性糸で構成される前記斜交糸１２ａ、１２ｂが前記ブレード４の長手方向軸Ｓに対して斜交方向に向くように配設されることが好ましい。この場合、前記低弾性糸で構成される斜交糸１２ａ、１２ｂによって、前記ブレード４の領域Ａの捩り剛性が低く抑えられると同時に、捩り振動減衰特性が高められ、前記経糸１０又は、緯糸１１によって縦方向及び横方向の曲げ剛性が効率的に高められる。これにより、前記領域Ａでは、縦方向と横方向の曲げ剛性及び、曲げ固有振動数が高く設定でき、ボール打撃時に良好な反発性能が得られると同時に、捩り剛性が低く抑えられ、且つ捩り振動減衰特性が高く設定できるため、打撃時にソフトなフィーリングが得られ、打球感に優れたオフェンシブ向けの卓球用ラケット１となる。
【００３７】
一方、ディフェンシブに適した性能を発現させるには、前記４軸織物９の斜交糸１２ａ、１２ｂがブレード４の長手方向軸Ｓに対して平行又は、垂直な方向に向くように配設されることが好ましい。この場合、前記４軸織物９の低弾性糸で構成される斜交糸１２ａ、１２ｂによって前記領域Ａの縦方向と横方向の曲げ剛性が低く抑えられると同時に、曲げ振動減衰特性が高められ、前記経糸１０及び、緯糸１１によって捩り剛性が効率的に高められる。これにより、前記領域Ａでは、捩り剛性及び、捩り固有振動数が高く設定でき、ボール打撃時に良好なコントロール性能が得られると同時に、縦方向と横方向の曲げ剛性が低く抑えられ、且つ曲げ振動減衰特性が高く設定できるため、打撃時にソフトなフィーリングが得られ、打球感に優れたディフェンシブ向けの卓球用ラケット１となる。
【００３８】
又、前記ブレード４の領域Ｂに前記４軸織物９を用いる場合、オフェンシブに適した性能を発現させるためには、前記４軸織物９の斜交糸１２ａ、１２ｂがブレード４の長手方向軸Ｓに対して平行又は、垂直な方向に向くように配設されることが好ましい。この場合、前記４軸織物９の低弾性糸で構成される斜交糸１２ａ、１２ｂによって、前記ブレード４の領域Ｂの縦方向と横方向の曲げ剛性が低く抑えられると同時に、曲げ振動減衰特性が高められ、前記経糸１０又は、緯糸１１によって捩り剛性が効率的に高められる。これにより、前記領域Ｂでは、捩り剛性及び、捩り固有振動数が高く設定でき、ボール打撃時に良好な反発性能が得られると同時に、縦方向と横方向の曲げ剛性が低く抑えられ、且つ曲げ振動減衰特性が高く設定できるため、打撃時にソフトなフィーリングが得られ、打球感に優れたオフェンシブ向けの卓球用ラケット１となる。
【００３９】
一方、ディフェンシブに適した性能を発現させるには、前記４軸織物９の経糸１０又は、緯糸１１がブレード４の長手方向軸Ｓに対して平行又は、垂直な方向に向くように配設し、該４軸織物９の低弾性糸で構成される前記斜交糸１２ａ、１２ｂが前記ブレード４の長手方向軸Ｓに対して斜交方向に向くように配設されることが好ましい。この場合、前記低弾性糸で構成される斜交糸１２ａ、１２ｂによって前記領域Ｂの捩り剛性が低く抑えられると同時に、捩り振動減衰特性が高められ、前記経糸１０及び、緯糸１１によって縦方向と横方向の曲げ剛性が効率的に高められる。これにより、前記領域Ｂでは、縦方向と横方向の曲げ剛性及び、曲げ固有振動数が高く設定でき、ボール打撃時に良好なコントロール性能が得られると同時に、捩り剛性が低く抑えられ、且つ捩り振動減衰特性が高く設定できるため、打撃時にソフトなフィーリングが得られ、打球感に優れたディフェンシブ向けの卓球用ラケット１となる。
【００４０】
本実施例において使用される前記４軸織物９では、経糸１０及び、緯糸１１に、該経糸１０及び、緯糸１１に対して概ね４５°方向に低弾性糸である斜交糸１２ａ、１２ｂを織り込んだものであるから、卓球用ラケット１を構成する前記ブレード４の縦方向及び、横方向の曲げ剛性と捩り剛性に異方性を持たせることができる。従って、前記４軸織物９を構成する糸の配向方向を任意に設定することで、曲げ剛性＞捩り剛性、或いは、曲げ剛性＜捩り剛性といった剛性設計の他、曲げ固有振動数＞捩り固有振動数、或いは、曲げ固有振動数＜捩り固有振動数といった固有振動数設計、更に曲げ振動減衰特性＞捩り振動減衰特性、或いは、曲げ振動減衰特性＜捩り振動減衰特性といった振動減衰設計が一つの４軸織物材料を用いることで容易に行えることから汎用性があり、成形部品数を増やすことなく、製造の手間やコストを減らすことができる。
【００４１】
前記４軸織物９を構成する経糸１０及び、緯糸１１としては、炭素繊維が好適に使用され、その繊度は１００〜４００のものが使用される。又、前記斜交糸１２ａ、１２ｂとしては、前記経糸１０及び、緯糸１１よりも繊度の小さい炭素繊維或いは、前記経糸１０及び、緯糸１１よりも弾性率の低いガラス繊維やアラミド繊維等が好適に使用される。
【００４２】
尚、上記実施例では、前記ブレード４の構成として、図３に示すように、１枚の中芯木質板層７ａと、２枚の外部木質板層７ｂとの間に繊維強化樹脂層８を配設せしめた３枚合板のブレードを例にとって説明したが、本発明はこれに限定されることなく、２枚以上の木質板層８から成るブレードであれば好適に実施可能である。
【実施例１】
【００４３】
（実施例１）
図５に示すように、ブレード４を構成する材料として、桐材からなる１枚の中芯木質板層７ａ（肉厚：３．５ｍｍ）と、アユース材からなる２枚の添芯木質板層７ｃ（肉厚：０．８ｍｍ）及び、桧材からなる２枚の外部木質板層７ｂ（肉厚：０．５ｍｍ）と、４軸織物９を用意した。
【００４４】
本実施例では、前記４軸織物９として、図４に示すように、相互に直交して織られる経糸１０及び、緯糸１１を繊度が１８０の炭素繊維で構成し、さらにこれら経糸１０及び、緯糸１１に対し±４５°斜交して交番に織られる斜交糸１２ａ、１２ｂを引張り弾性率が７０ＧＰａのアラミド繊維で構成した異方性を有する４軸織物を用意した。
【００４５】
そして、図５に示すように、前記中芯木質板層７ａの表裏両面に添芯木質板層７ｃ及び、外部木質板層７ｂを接着剤を用いて順次積層接着して５枚合板のブレードを形成するにあたり、前記添芯木質板層７ｃと、前記外部木質板層７ｂとの層間に前記４軸織物９を配設した。尚、この時、前記４軸織物９は、図１に示すように、前記ブレード４のグリップ側基端部Ｐからブレード４の長手方向軸Ｓにおいて打球面部２側にブレード全長Ｌの０．０８Ｌに相当する位置から０．４０Ｌに相当する位置までの領域Ａのみに配設し、且つ該４軸織物９の経糸１０がブレード４の長手方向軸Ｓに対して平行な方向に向くように配設してなるものを形成した。
【００４６】
（実施例２）
前記４軸織物９を、前記ブレード４のグリップ側基端部Ｐからブレード４の長手方向軸Ｓにおいて打球面部２側にブレード全長Ｌの０．４２Ｌに相当する位置から１．００Ｌに相当する位置までの領域Ｂのみに配設し、且つ該４軸織物９の斜交糸１２ａ、１２ｂの一方がブレード４の長手方向軸Ｓに対して平行な方向に向くように配設してなるものを形成した。
その他の構成は、上記実施例１と同様とした。
【００４７】
（実施例３）
前記４軸織物９を、前記ブレード４のグリップ側基端部Ｐからブレード４の長手方向軸Ｓにおいて打球面部２側にブレード全長Ｌの０．０８Ｌに相当する位置から０．４０Ｌに相当する位置までの領域Ａと、０．４２Ｌに相当する位置から１．００Ｌに相当する位置までの領域Ｂに配設し、且つ前記領域Ａに配設する４軸織物９は、該４軸織物９の経糸１０がブレード４の長手方向軸Ｓに対して平行な方向に向くように配設し、又、前記領域Ｂに配設する４軸織物９は、該４軸織物９の斜交糸１２ａ、１２ｂの一方がブレード４の長手方向軸Ｓに対して平行な方向に向くように配設してなるものを形成した。
その他の構成は、上記実施例１と同様とした。
【００４８】
（実施例４）
前記４軸織物９を、前記ブレード４のグリップ側基端部Ｐからブレード４の長手方向軸Ｓにおいて打球面部２側にブレード全長Ｌの０．０８Ｌに相当する位置から０．４０Ｌに相当する位置までの領域Ａのみに配設し、且つ該４軸織物９の斜交糸１２ａ、１２ｂの一方がブレード４の長手方向軸Ｓに対して平行な方向に向くように配設してなるものを形成した。
その他の構成は、上記実施例１と同様とした。
【００４９】
（実施例５）
前記４軸織物９を、前記ブレード４のグリップ側基端部Ｐからブレード４の長手方向軸Ｓにおいて打球面部２側にブレード全長Ｌの０．４２Ｌに相当する位置から１．００Ｌに相当する位置までの領域Ｂのみに配設し、且つ該４軸織物９の経糸１０がブレード４の長手方向軸Ｓに対して平行な方向に向くように配設してなるものを形成した。
その他の構成は、上記実施例１と同様とした。
【００５０】
（実施例６）
前記４軸織物９を、前記ブレード４のグリップ側基端部Ｐからブレード４の長手方向軸Ｓにおいて打球面部２側にブレード全長Ｌの０．０８Ｌに相当する位置から０．４０Ｌに相当する位置までの領域Ａと、０．４２Ｌに相当する位置から１．００Ｌに相当する位置までの領域Ｂに配設し、且つ前記領域Ａに配設する４軸織物９は、該４軸織物９の斜交糸１２ａ、１２ｂの一方がブレード４の長手方向軸Ｓに対して平行な方向に向くように配設し、又、前記領域Ｂに配設する４軸織物９は、該４軸織物９の経糸１０がブレード４の長手方向軸Ｓに対して平行な方向に向くように配設してなるものを形成した。
その他の構成は、上記実施例１と同様とした。
【００５１】
（比較例１）
４軸織物として、経糸１０と緯糸１１と斜交糸１２ａ、１２ｂの全てを繊度が１８０の炭素繊維で構成した等方性を有する４軸織物を用意した。
これを実施例３と同様に、ブレード４の前記領域Ａと、領域Ｂに相当する位置に配設してなるものを形成した。
【００５２】
上記実施例１〜６及び、比較例１で得られた各ブレードにグリップ部材５とラバー６を装着して卓球用ラケットを形成し、実打試験を行った。この実打試験では、複数のオフェンシブプレーヤー及び、ディフェンシブプレーヤーを対象にして、実際に実施例１〜６と比較例１の卓球用ラケットでボールを打撃し、その際、各プレーヤーが体感した打撃時の感応評価を行った。尚、この打撃試験では、プレースタイルによって卓球用ラケットに要求される性能が相違するため、主としてオフェンシブプレーヤーには、打撃時の反発性能と打球感について評価を行い、ディフェンシブプレーヤーには、打撃時のコントロール性能と打球感について評価を行った。この時の結果を以下の表１に示す。
【００５３】
【表１】
2005218521.tif 000003
【００５４】
このような試験結果より、実施例１〜３の卓球用ラケット１は、オフェンシブプレーヤーが要求する反発性能及び、打球感といった性能において優れた感応評価が得られ、実施例４〜６の卓球用ラケットは、ディフェンシブプレーヤーが要求するコントロール性能及び、打球感といった性能において優れた感応評価が得られるものであることを確認できた。尚、等方性を有する４軸織物を用いた比較例１の卓球用ラケットは、オフェンシブプレーヤー及び、ディフェンシブプレーヤーの双方が共に良い感応評価を示さなかった。
【図面の簡単な説明】
【００５５】
【図１】本実施例の卓球用ラケットの正面と側面を表す外観説明図。
【図２】本実施例の卓球用ラケットの構成説明図。
【図３】図２のａ部領域におけるブレードの構成説明図。
【図４】本実施例で用いる異方性を有する４軸織物の拡大説明図。
【図５】ブレードの構成説明図。
【図６】卓球用ラケットの外観説明図。
【図７】繊維強化樹脂層の概略説明図。
【図８】従来の織物の拡大説明図。
【図９】従来の織物の拡大説明図。
【図１０】ブレードの正面説明図。
【符号の説明】
【００５６】
１    卓球用ラケット
２    打球面部
３    グリップ側基部
４    ブレード
５    グリップ部材
６    ラバー
７    木質板層
７ａ    中芯木質板層
７ｂ    外部木質板層
７ｃ    添芯木質板層
８    繊維強化樹脂層
９    ４軸織物
１０    経糸
１１    緯糸
１２ａ    斜交糸
１２ｂ    斜交糸
２１    卓球用ラケット
２２    ブレード
２３    グリップ側基部
２４    グリップ部材
２５    打球面部
２６    ラバー
２７    繊維強化樹脂層
２８ａ    バイアス補強層
２８ｂ    バイアス補強層
２９    縦方向補強層
３０    横方向補強層
３１    ２軸織物
３２    経糸
３３    緯糸
３４    ３軸織物
３５ａ    斜交糸
３５ｂ    斜交糸
【図１】
2005218521.tif 000004
【図２】
2005218521.tif 000005
【図３】
2005218521.tif 000006
【図４】
2005218521.tif 000007
【図５】
2005218521.tif 000008
【図６】
2005218521.tif 000009
【図７】
2005218521.tif 000010
【図８】
2005218521.tif 000011
【図９】
2005218521.tif 000012
【図１０】
2005218521.tif 000013